(57)【特許請求の範囲】
【請求項１】
第１の周波数帯域において第１の送信パワーでＫｍａｘ（Ｋｍａｘは、３以上）個のプローブ信号を異なったタイミングで送信する第１の処理を行なう送信手段と、
送信先が前記Ｋｍａｘ個のプローブ信号を受信したときに得られるＫｍａｘ個の干渉パワーを送信先から受信する第２の処理を行なう受信手段と、
前記受信された干渉パワーを前記第１の送信パワーで除算し、その除算結果に予め決定されたパラメータを乗算することによって評価項目を演算する処理を前記Ｋｍａｘ個の干渉パワーに対して実行し、Ｋｍａｘ個の評価項目を取得する演算手段と、
Ｋｍａｘ番目の評価項目が１よりも小さいか否かを判定する判定手段とを備え、
前記送信手段は、前記Ｋｍａｘ番目の評価項目が１よりも小さいと判定されたとき、前記第１の周波数帯域と異なる第２の周波数帯域において前記第１の送信パワーよりも大きい第２の送信パワーで通常のデータを含むパケットを送信し、
前記予め決定されたパラメータは、当該無線装置と前記送信先との間のリンクの評価関数を定義するパラメータである、無線装置。
【請求項２】
前記第１の送信パワーは、目標の信号対雑音干渉比に前記干渉パワーを乗算し、その演算結果に、０よりも大きく、かつ、１よりも小さい予め決定された定数を乗算することによって得られる値であり、
前記演算手段は、更に、前記Ｋｍａｘ個の評価項目を前記予め決定された定数で除算することによってＫｍａｘ個の新しい評価項目を演算し、
前記判定手段は、Ｋｍａｘ番目の新しい評価項目が１よりも小さいか否かを判定し、
前記送信手段は、前記Ｋｍａｘ番目の新しい評価項目が１よりも小さいと判定されたとき、前記第２の周波数帯域において前記第２の送信パワーで通常のデータを含むパケットを送信する、請求項１に記載の無線装置。
【請求項３】
前記演算手段は、更に、前記Ｋｍａｘ個の評価項目を外挿して外挿値を取得する第３の処理を実行し、
前記判定手段は、前記外挿値が１以下であるか否かを判定し、
前記送信手段は、前記外挿値が１以下であると判定されたとき、前記第２の周波数帯域において前記第２の送信パワーで前記通常のデータを含むパケットを送信する、請求項１に記載の無線装置。
【請求項４】
前記送信手段は、前記目標の信号対雑音干渉比に前記干渉パワーを乗算し、その演算結果に、０よりも大きく、かつ、０．５よりも小さい予め決定された定数を乗算することによって得られるパワー範囲において、前記第１の送信パワーをｍ（ｍが２以上）個の第１の送信パワーに変えながら前記第１の処理を実行し、
前記受信手段は、前記ｍ個の第１の送信パワーに対して前記第２の処理を実行し、各々がＫｍａｘ個の干渉パワーを含むｍ個のグループを取得し、
前記演算手段は、前記ｍ個のグループに対して前記第３の処理を実行してｍ個の外挿値を取得し、前記目標の信号対雑音干渉比に前記干渉パワーを乗算して得られる送信パワーが用いられるときに外挿される外挿最大値を推定し、
前記判定手段は、前記外挿最大値が１よりも小さいか否かを判定し、
前記送信手段は、前記外挿最大値が１よりも小さいと判定されたとき、前記第２の周波数帯域において前記第２の送信パワーで前記通常のデータを含むパケットを送信する、請求項３に記載の無線装置。
【請求項５】
Ｋｍａｘ（Ｋｍａｘは３以上）個のプローブ信号の受信時にＫｍａｘ個の干渉パワーを計測する第１の無線装置と、
第１の周波数帯域において第１の送信パワーで前記Ｋｍａｘ個のプローブ信号を異なったタイミングで前記第１の無線装置へ送信する第１の処理を実行し、Ｋｍａｘ個の干渉パワーを前記第１の無線装置から受信する第２の処理を実行し、前記受信した干渉パワーを前記第１の送信パワーで除算し、その除算結果に予め決定されたパラメータを乗算することによって評価項目を演算する処理を前記Ｋｍａｘ個の干渉パワーに対して実行し、Ｋｍａｘ個の評価項目を取得し、Ｋｍａｘ番目の評価項目が１よりも小さいと判定されたとき、前記第１の周波数帯域と異なる第２の周波数帯域において前記第１の送信パワーよりも大きい第２の送信パワーで通常のデータを含むパケットを前記第１の無線装置へ送信し、
前記予め決定されたパラメータは、当該無線装置と送信先との間のリンクの評価関数を定義するパラメータである、無線通信システム。
【請求項６】
前記第１の送信パワーは、前記目標の信号対雑音干渉比に前記干渉パワーを乗算し、その演算結果に、０よりも大きく、かつ、１以下の予め決定された定数を乗算して得られた値であり、
前記第２の無線装置は、更に、前記Ｋｍａｘ個の評価項目を前記予め決定された定数で除算することによってＫｍａｘ個の新しい評価項目を演算し、Ｋｍａｘ番目の新しい評価項目が１よりも小さいと判定されたとき、前記第２の周波数帯域において前記第２の送信パワーで前記通常のデータを含むパケットを送信する、請求項５に記載の無線通信システム。
【請求項７】
前記第２の無線装置は、更に、前記Ｋｍａｘ個の評価項目を外挿して外挿値を取得する第３の処理を実行し、前記外挿値が１よりも小さいと判定されたとき前記第２の周波数帯域において前記第２の送信パワーで前記通常のデータを含むパケットを送信する、請求項５に記載の無線通信システム。
【請求項８】
前記第２の無線装置は、前記目標の信号対雑音干渉比に前記干渉パワーを乗算し、その演算結果に、０よりも大きく、かつ、０．５よりも小さい予め決定された定数を乗算することによって得られるパワー範囲において、前記第１の送信パワーをｍ（ｍが２以上）個の第１の送信パワーに変えながら前記第１の処理を実行し、前記ｍ個の第１の送信パワーに対して前記第２の処理を実行し、各々がＫｍａｘ個の干渉パワーを含むｍ個のグループを取得し、前記ｍ個のグループに対して前記第３の処理を実行してｍ個の外挿値を取得し、前記目標の信号対雑音干渉比に前記干渉パワーを乗算して得られる送信パワーが用いられるときに外挿される外挿最大値を推定し、更に、前記外挿最大値が１よりも小さいと判定されたとき、前記第２の周波数帯域において前記第２の送信パワーで前記通常のデータを含むパケットを送信する、請求項７に記載の無線通信システム。
【発明の詳細な説明】
【技術分野】
【０００１】
この発明は、無線通信を行なう無線装置およびそれを備えた無線通信システムに関するものである。
【背景技術】
【０００２】
一般的に無線通信システムは、複数の無線装置からなる。そして無線通信システムにおいては、無線装置Ａ，Ｂが相互に無線通信を行なっている場合、他の無線装置Ｃは、無線通信を行なっている無線装置Ａ，Ｂから干渉を受ける。
【０００３】
従って、他の無線装置Ｃは、無線通信を行なう場合、無線装置Ａ，Ｂによって行なわれている無線通信に与える干渉を最小にするパワーで無線通信を行なう必要がある。即ち、他の無線装置Ｃは、送信パワーを制御して無線通信を行なう必要がある。
【０００４】
このために、理論的には、次の方法によって、無線装置Ｃが無線通信を行なうか否かを決定していた（非特許文献１〜４）。無線装置Ｃは、ネットワーク情報の行列の支配的な固有値が“１”よりも小さいと判定したときのみ、無線通信を行なう。ネットワーク情報の行列は、無線通信システムにおける全ての無線リンクの信号対雑音干渉比（ＳＩＮＲ：Ｓｉｇｎａｌ  ｔｏ  Ｉｎｔｅｒｆｅｒｅｎｃｅ  ａｎｄ  Ｎｏｉｓｅ  Ｒａｔｉｏ）と、無線通信システムにおける全ての無線装置のチャネルゲインとからなる要素によって構成される。
【先行技術文献】
【非特許文献】
【０００５】
【非特許文献１】J. Zander, “Distributed co-channel interference control in cellular radio systems”, IEEE Trans. Veh. Technol., vol. 41, no. 4, pp. 305-311, Aug. 1992.
【非特許文献２】G. Foschini and Z. Miljanic, “A simple distributed autonomous power control algorithm and its convergence”, IEEE Trans. Veh. Technol., vol. 42, no. 4, pp. 641-646, Aug. 1993.
【非特許文献３】T. Holliday, A. Goldsmith, P. Glynn, and N. Bambos, “Distributed power and admission control for time-varying wireless networks”, in Proc. of IEEE Global Telecommunications Conference (Globecom), Dallas, Texas, Nov. 29-Dec. 3, 2004, pp. 768-774.
【非特許文献４】J. Luo, S.  Ulukus, and A. Ephremides, “Standard and quasi-standard stochastic power control algorithms”, IEEE Trans Inform. Theory, vol. 51, no. 7, pp. 2612-2624, July 2005.
【発明の概要】
【発明が解決しようとする課題】
【０００６】
しかし、行列の固有値を計算して無線通信の可否を判定する方法は、行列の要素が増加すると、計算が複雑になるという問題がある。あいにく、行列の固有値の計算は、困難である。４組よりも多くの送信機−受信機のペアからなるネットワークに対する一般的な閉じた式は、存在しない。そして、基準の数値的な方法は、例えば、分散逆行列の前提、またはグローバルネットワーク情報の交換のために、非常に複雑である。
【０００７】
そこで、この発明は、かかる問題を解決するためになされたものであり、その目的は、他の無線装置から干渉を受けている場合に無線通信の可否を簡単に判定可能な無線装置を提供することである。
【０００８】
また、この発明の別の目的は、他の無線装置から干渉を受けている場合に無線通信の可否を簡単に判定可能な無線装置を備えた無線通信システムを提供することである。
【課題を解決するための手段】
【０００９】
この発明によれば、無線装置は、送信手段と、受信手段と、演算手段と、判定手段とを備える。送信手段は、第１の周波数帯域において第１の送信パワーでＫｍａｘ（Ｋｍａｘは３以上）個のプローブ信号を異なったタイミングで送信する第１の処理を実行する。受信手段は、送信先がＫｍａｘ個のプローブ信号を受信したときに得られるＫｍａｘ個の干渉パワーを送信先から受信する第２の処理を実行する。演算手段は、受信された干渉パワーを第１の送信パワーで除算し、その除算結果に予め決定されたパラメータを乗算することによって評価項目を演算する処理をＫｍａｘ個の干渉パワーに対して実行し、Ｋｍａｘ個の評価項目を取得する。判定手段は、Ｋｍａｘ番目の評価項目が１よりも小さいか否かを判定する。送信手段は、Ｋｍａｘ番目の評価項目が１よりも小さいと判定されたとき、第１の周波数帯域と異なる第２の周波数帯域において第１の送信パワーよりも大きい第２の送信パワーで通常のデータを含むパケットを送信する。予め決定されたパラメータは、当該無線装置と送信先との間のリンクの評価関数を定義するパラメータである。
【００１０】
また、この発明によれば、無線通信システムは、第１および第２の無線装置を備える。第１の無線装置は、Ｋｍａｘ（Ｋｍａｘは３以上）個のプローブ信号の受信時にＫｍａｘ個の干渉パワーを計測し、その計測したＫｍａｘ個の干渉パワーを送信する。第２の無線装置は、第１の周波数帯域において第１の送信パワーでＫｍａｘ個のプローブ信号を異なったタイミングで第１の無線装置へ送信する第１の処理を実行し、Ｋｍａｘ個の干渉パワーを第１の無線装置から受信する第２の処理を実行し、受信した干渉パワーを第１の送信パワーで除算し、その除算結果に予め決定されたパラメータを乗算することによって評価項目を演算する処理をＫｍａｘ個の干渉パワーに対して実行し、Ｋｍａｘ個の評価項目を取得し、Ｋｍａｘ番目の評価項目が１よりも小さいと判定されたとき、第１の周波数帯域と異なる第２の周波数帯域において第１の送信パワーよりも大きい第２の送信パワーで通常のデータを含むパケットを第１の無線装置へ送信する。予め決定されたパラメータは、当該無線装置と送信先との間のリンクの評価関数を定義するパラメータである。
【発明の効果】
【００１１】
この発明によれば、送信元は、Ｋｍａｘ個の評価項目を演算し、Ｋｍａｘ番目の評価項目が１よりも小さいと判定されたとき、無線通信が可能であると判定する。
【００１２】
従って、送信元は、無線通信が可能であるか否かを簡単に判定できる。
【図面の簡単な説明】
【００１３】
【図１】この発明の実施の形態による無線通信ネットワークの概略図である。
【図２】図１に示す無線装置の実施の形態１における構成図である。
【図３】サービス品質ごとに決定された評価関数の第１の例を示す図である。
【図４】サービス品質ごとに決定された評価関数の第２の例を示す図である。
【図５】サービス品質ごとに決定された評価関数の第３の例を示す図である。
【図６】サービス品質ごとに決定された評価関数の第４の例を示す図である。
【図７】周波数帯域の概念図である。
【図８】実施の形態１による無線通信方法を説明するための概念図である。
【図９】実施の形態１における無線通信方法を示すフローチャートである。
【図１０】図１に示す無線装置の実施の形態２における構成図である。
【図１１】実施の形態２による無線通信方法を示すフローチャートである。
【図１２】図１に示す無線装置の実施の形態３における構成図である。
【図１３】外挿値を決定する方法を説明するための概念図である。
【図１４】実施の形態３による無線通信方法を示すフローチャートである。
【図１５】図１に示す無線装置の実施の形態４における構成図である。
【図１６】外挿最大値を推定する方法を説明するための概念図である。
【図１７】実施の形態４による無線通信方法を示すフローチャートである。
【図１８】図１７のステップＳ３３の詳細な動作を説明するためのフローチャートである。
【発明を実施するための形態】
【００１４】
本発明の実施の形態について図面を参照しながら詳細に説明する。なお、図中同一または相当部分には同一符号を付してその説明は繰返さない。
【００１５】
図１は、この発明の実施の形態による無線通信システムの概略図である。図１を参照して、無線通信システム１０は、無線装置１〜５を備える。無線装置１〜５は、無線通信空間に配置される。より具体的には、無線装置１〜５は、無線装置１〜５が相互に、直接、無線通信可能な領域ＲＥＧに配置される。そして、無線装置１〜５の各々は、自己以外の他の無線装置が無線通信を行なっているとき、後述する方法によって、無線通信が可能であるか否かを判定し、無線通信が可能であると判定したとき、１つの周波数帯域を用いて無線通信を行なう。
【００１６】
［実施の形態１］
図２は、図１に示す無線装置１の実施の形態１における構成図である。図２を参照して、無線装置１は、アンテナ１１と、送受信手段１２と、通信手段１３と、判定手段１４と、演算手段１５とを備える。
【００１７】
アンテナ１１は、無線通信空間を介して他の無線装置からパケットを受信し、その受信したパケットを送受信手段１２へ出力する。
【００１８】
また、アンテナ１１は、送受信手段１２からパケットを受け、その受けたパケットを無線通信空間を介して他の無線装置へ送信する。
【００１９】
送受信手段１２は、アンテナ１１がシグナルチャネルにおいてプローブ信号ＰＲＢｊを受信したときに得られる干渉パワーＩｊｓを計測する。シグナルチャネルは、リンクｊ上のプローブ信号ＰＲＢｊを送受信するために設けられる。
【００２０】
また、送受信手段１２は、アンテナ１１がデータチャネルにおいて通常のデータを含むパケットを受信したときに得られる干渉パワーＩｊｄを計測する。
【００２１】
送受信手段１２は、計測した干渉パワーＩｊｓ，Ｉｊｄを通信手段１３へ出力する。
【００２２】
また、送受信手段１２は、アンテナ１１からパケットを受ける。送受信手段１２は、パケットが送信先における干渉パワーＩｊｓ，Ｉｊｄを含むとき、干渉パワーＩｊｓ，Ｉｊｄをパケットから取り出す。そして、送受信手段１２は、その取り出した干渉パワーＩｊｓ，Ｉｊｄを演算手段１５へ出力する。
【００２３】
一方、送受信手段１２は、パケットが通常のデータを含むとき、パケットを通信手段１３へ出力する。
【００２４】
更に、送受信手段１２は、演算手段１５から送信パワーσjd＝ＳＩＮＲＴｊ×Ｉｊｄ，σｊｓ＝α×ＳＩＮＲＴｊ×Ｉｊｓを受ける。定数σは、０より大きく、かつ、１以下である。定数σは、無線通信システム１０において予め決定される。
【００２５】
更に、送受信手段１２は、干渉パワーＩｊｓ，Ｉｊｄを含むパケットを通信手段１３から受ける。送受信手段１２は、その受けたパケットをアンテナ１１を介して送信元へ送信する。
【００２６】
更に、送受信手段１２は、Ｋｍａｘ（Ｋｍaｘは３以上）個のプローブ信号を通信手段１３から受ける。そして、送受信手段１２は、その受けたＫｍａｘ個のプローブ信号を周波数帯域ＢＷ０における周波数を有するシグナルチャネルにおいて送信パワーσｊｓ＝α×ＳＩＮＲＴｊ×Ｉｊｓで、異なったタイミングで送信先へ送信する。
【００２７】
更に、送受信手段１２は、通常のデータを含むパケットを通信手段３から受ける。そして、送受信手段１２は、無線通信が可能であることを示す信号ＣＯＫを判定手段１４から受けると、周波数帯域ＢＷ１における周波数を有するデータチャネルにおいて送信パワーσjｄ＝ＳＩＮＲＴｊ×Ｉｊｄで、通常のデータを含むパケットを送信先へ送信する。周波数帯域ＢＷ１は、周波数帯域ＢＷ０と異なる。
【００２８】
通信手段１３は、送受信手段１２から干渉パワーＩｊｓ，Ｉｊｄを受ける。
通信手段１３は、干渉パワーＩｊｓ，Ｉｊｄをデータ部に含むパケットを生成し、その生成したパケットを送受信手段１２へ出力する。
【００２９】
更に、通信手段１３は、判定手段１４から信号ＣＯＫを受けると、通常のデータをデータ部に含むパケットを生成し、その生成したパケットを送受信手段１２へ出力する。
【００３０】
更に、通信手段１３は、Ｋｍａｘ個のプローブ信号ＰＲＢｊ（１）〜ＰＲＢｊ（Ｋｍａｘ）を生成し、その生成したＫｍａｘ個のプローブ信号ＰＲＢｊ（１）〜ＰＲＢｊ（Ｋｍａｘ）を送受信手段１２へ出力する。
【００３１】
判定手段１４は、Ｋｍａｘ個の評価項目｜Ｗｊ（１，t）｜〜｜Ｗｊ（Ｋｍａｘ，t）｜を演算手段１５から受ける。そして、判定手段１４は、評価項目｜Ｗｊ（Ｋｍａｘ，t）｜が１よりも小さいか否かを判定する。
【００３２】
判定手段１４は、評価項目｜Ｗｊ（Ｋｍａｘ，t）｜が１よりも小さいと判定されたとき、信号ＣＯＫを生成し、その生成した信号ＣＯＫを送受信手段１２および通信手段１３へ出力する。
【００３３】
一方、判定手段１４は、評価項目｜Ｗｊ（Ｋｍａｘ，t）｜が１以上であると判定されたとき、信号を生成しない。
【００３４】
演算手段１５は、定数αと、目標の信号対雑音干渉比ＳＩＮＲＴｊとを保持する。演算手段１５は、干渉パワーＩｊｓ，Ｉｊｄを送受信手段１２から受信する。そして、演算手段１５は、送信パワーσｊｄ＝ＳＩＮＲＴｊ×Ｉｊｄ，σｊｓ＝α×ＳＩＮＲＴｊ×Ｉｊｓを演算し、その演算した送信パワーσｊｄ＝ＳＩＮＲＴｊ×Ｉｊｄ，σｊｓ＝α×ＳＩＮＲＴｊ×Ｉｊｓを送受信手段１２へ出力する。
【００３５】
演算手段１５は、干渉パワーＩｊｓを受ける毎に、後述する方法によって、評価項目｜Ｗｊ（ｋ，t）｜を演算する。そして、演算手段１５は、その演算した評価項目｜Ｗｊ（ｋ，t）｜を判定手段１４へ出力する。
【００３６】
なお、図１に示す無線装置２〜５の各々も、図２に示す無線装置１と同じ構成からなる。
【００３７】
図３から図６は、それぞれ、サービス品質ごとに決定された評価関数の第１〜第４の例を示す。図３から図６において、縦軸は、送信パワーを表し、横軸は、干渉パワーを表す。
【００３８】
図３を参照して、曲線ｋ１は、例えば、携帯電話機における送信パワーσｊｓの干渉パワー依存性を示す。送信パワーσｊｓは、干渉パワーが基準値Ｉｔｈ１よりも小さいとき、干渉パワーに対して一定値を保持する。送信パワーσｊｓは、干渉パワーが基準値Ｉｔｈ１以上であるとき、干渉パワーの増加に対して下に凸の曲線に従って減少し、ほぼ一定値になる。
【００３９】
携帯電話機は、多くのユーザによって使用されるので、あるユーザが携帯電話機を用いて無線通信を行なうとき、他のユーザが携帯電話機を用いて無線通信を既に行なっている場合が想定される。
【００４０】
このような場合、あるユーザの携帯電話機は、他のユーザの携帯電話機からの干渉を受ける。そして、要求される送信パワーが、干渉パワーが大きくなるに従って大きくなると、各携帯電話機によって要求される送信パワーが更に大きくなり、無線通信を行なうことが困難になる。
【００４１】
そこで、送信パワーσｊｓは、干渉パワーに対して曲線ｋ１に示されるように変化することにしたのである。
【００４２】
従って、曲線ｋ１によって示される送信パワーσｊｓの干渉パワー依存性は、一般的には、多くのユーザが同時に無線通信を行なう場合に使用される。
【００４３】
図４を参照して、曲線ｋ２は、例えば、車両に設置された無線装置における送信パワーσｊｓの干渉パワー依存性を示す。送信パワーσｊｓは、上限値σＬｉｍｉｔよりも低いとき、干渉パワーの増加に対して上に凸の曲線に従って増加し、ほぼ一定値になる。
【００４４】
無線装置は、車両に搭載されている場合、情報をできる限り速く送信先へ送信する必要がある。
【００４５】
そこで、干渉パワーが大きくなっても高い送信レートを確保するために、送信パワーσｊｓを干渉パワーに対して曲線ｋ２によって示されるように増加させることにしたものである。
【００４６】
図５を参照して、曲線ｋ３は、例えば、一定の送信レートでパケットを送信する無線装置における送信パワーσｊｓの干渉パワー依存性を示す。送信パワーσｊｓは、干渉パワーが基準値Ｉｔｈ２よりも小さいとき、干渉パワーの増加に対して直線的に増加する。送信パワーσｊｓは、干渉パワーが基準値Ｉｔｈ２以上であるとき、干渉パワーに対して上に凸の曲線に従って増加する。
【００４７】
干渉パワーが存在する無線通信環境において送信レートを一定に保持するためには、干渉パワーの増加に対して送信パワーを増加させる必要がある。
【００４８】
そこで、干渉パワーが基準値Ｉｔｈ２よりも小さいとき、干渉パワーの増加に対して送信パワーσｊｓを線形に増加させることにしたものである。干渉パワーが基準値Ｉｔｈ２以上であるとき、送信パワーσｊｓは、送信パワーσｊｓの上限値σＬｉｍｉｔを考慮して干渉パワーの増加に対して非線形に増加させることにしたものである。
【００４９】
図６を参照して、曲線ｋ４は、例えば、所定の範囲の送信パワーを使用する無線装置における送信パワーσｊｓの干渉パワー依存性を示す。送信パワーσｊｓは、干渉パワーの増加に対して送信パワーσ１から送信パワーσ２までの範囲で変化する。より具体的には、送信パワーσｊｓは、干渉パワーが基準値Ｉｔｈ３よりも小さいとき、干渉パワーの増加に対して送信パワーσ１から上に凸の曲線に従って増加する。送信パワーσｊｓは、干渉パワーが基準値Ｉｔｈ３から基準値Ｉｔｈ４までの範囲においては、干渉パワーの増加に対してほぼ一定である。送信パワーσｊｓは、干渉パワーが基準値Ｉｔｈ４以上であるとき、下に凸の曲線に従って送信パワーσ２まで増加する。
【００５０】
送信パワーσｊｓを所定の範囲に設定する場合において、干渉パワーが基準値Ｉｔｈ３から基準値Ｉｔｈ４までの範囲であるとき、送信パワーσｊｓを送信パワーσ１と送信パワーσ２との平均値に近い値に設定すればよい。しかし、干渉パワーが基準値Ｉｔｈ３以下の範囲または基準値Ｉｔｈ４以上の範囲においては、干渉パワーの送信パワーσｊｓへの影響を低減させる必要がある。
【００５１】
そこで、送信パワーσｊｓを干渉パワーに対して曲線ｋ４に示すように増加させることにしたものである。
【００５２】
なお、無線装置１〜５の各々においては、演算手段１５は、多くのユーザが同時に無線通信を行なうというサービス品質に対応付けて曲線ｋ１を保持し、高い送信レートを確保するというサービス品質に対応付けて曲線ｋ２を保持し、一定の送信レートを保持するというサービス品質に対応付けて曲線ｋ３を保持し、所定の範囲の送信パワーを使用するというサービス品質に対応付けて曲線ｋ４を保持する。
【００５３】
信号対雑音干渉比ＳＩＮＲは、全体のサービス品質を表す。この実施の形態においては、リンクは、干渉の関数として目標のＳＩＮＲを定義することによって、必要な、または好ましいＱｏＳを表す。実際の目的のためには、リンクは、送信パワーの干渉への依存性を定義する等価な関数を使用する。従って、曲線ｋ１〜ｋ４の各々は、評価関数βｊ（Ｉｊ）を構成する。リンクｊの送信機における送信パワーσｊｓは、σｊｓ＝βｊ（Ｉｊ）によって割り当てられる。
【００５４】
評価項目｜Ｗｊ（ｋ，t）｜の演算方法を下記に示す。評価関数βｊ（Ｉｊ）は、ｂｊ＋aｊ＊Ｉｊによって定義される。パラメータｂｊ，aｊの各々は、評価関数βｊ（Ｉｊ）を定義するためのパラメータである。
【００５５】
演算手段１５は、干渉パワーＩｊｓを送受信手段１２から受けると、曲線ｋ１〜ｋ４のいずれかを参照して、その受けた干渉パワーＩｊｓに対応する評価関数βｊ（Ｉｊ）の値を検出する。そして、演算手段１５は、その検出した値がｂｊ＋aｊ＊Ｉｊに等しくなるように、パラメータｂｊ，aｊを決定する。
【００５６】
その後、演算手段１５は、干渉パワーＩｊｓ、および目標の信号対雑音干渉比ＳＩＮＲＴｊを用いて送信パワーσｊｓ（ｋ−ｔ）＝ＳＩＮＲＴｊ×Ｉｊｓを演算する。なお、ｋ（１≦ｋ≦Ｋｍａｘ）は、回数を表し、ｔは、遅延（＞０）を表す。
【００５７】
また、演算手段１５は、送信パワーσｊｓ（ｋ−ｔ）、パラメータaｊ、および干渉パワーＩｊｓ（ｋ）に基づいて、次の式を用いて評価項目｜Ｗｊ（ｋ，ｔ）｜を演算する。
［式１］
｜Ｗｊ（ｋ，ｔ）｜＝｜aｊＩｊｓ（ｋ）σｊｓ（ｋ−ｔ）｜  ・・・（１）
【００５８】
図７は、周波数帯域の概念図である。図７を参照して、周波数帯域ＢＷ０は、プローブ信号ＰＲＢｊを送受信するために設けられる。周波数帯域ＢＷ１は、通常のデータを含むパケットを送受信するために設けられる。
【００５９】
無線装置１〜５の各々は、自己が送信先と無線通信を開始するとき、周波数帯域ＢＷ０のシグナルチャネルにおいて送信パワーσｊｓ＝α×ＳＩＮＲＴｊ×Ｉｊｓでプローブ信号ＰＲＢｊを送信先へ送信する。
【００６０】
図８は、実施の形態１による無線通信方法を説明するための概念図である。図８を参照して、無線装置２は、周波数帯域ＢＷ０のシグナルチャネルにおいてリンクＭＬ１で無線装置１へプローブ信号ＰＲＢｊを送信する。無線装置２は、周波数帯域ＢＷ１のデータチャネルにおいてリンクＭＬ１で無線装置１へ通常のデータを含むパケットを送信する。無線装置１は、シグナルチャネルにおいてプローブ信号ＰＲＢｊを受信したとき、干渉パワーＩ１ｓを計測する。また、無線装置１は、データチャネルにおいて、通常データを含むパケットを受信したとき、干渉パワーＩ１ｄを計測する。そして、無線装置１は、干渉パワーＩ１ｓ，Ｉ１ｄを無線装置２へ送信する。
【００６１】
無線装置２は、無線装置１から干渉パワーＩ１ｓ，Ｉ１ｄを受信する。そして、無線装置２は、干渉パワーＩ１ｄを用いて、送信パワーσ１ｄ＝α×ＳＩＮＲＴ１×Ｉ１ｄを演算し、干渉パワーＩ１ｓを用いて、送信パワーσ１ｓ＝α×ＳＩＮＲＴ１×Ｉ１ｓを演算する。従って、無線装置２は、アクティブリンクとしてのリンクＭＬ１でデータチャネルにおける送信パワーσ１ｄ＝ＳＩＮＲＴ１×Ｉ１ｄで通常データを含むパケットを送信する。また、無線装置２は、アクティブリンクとしてのリンクＭＬ１でシグナルチャネルにおける送信パワーσ１ｓ＝α×ＳＩＮＲＴ１×Ｉ１ｓでプローブ信号ＰＲＢｊを送信する。
【００６２】
無線装置４は、無線装置２と同じ方法によって、リンクＭＬ２で、シグナルチャネルにおける送信パワーσ２ｓ＝α×ＳＩＮＲＴ２×Ｉ２ｓでプローブ信号ＰＲＢｊを送信し、データチャネルにおける送信パワーσ１ｄ＝ＳＩＮＲＴ１×Ｉ１ｄで通常データを含むパケットを送信する。
【００６３】
この状況において、無線装置５は、周波数帯域ＢＷ１のデータチャネルにおいてリンクＭＬ３で無線装置３との無線通信を開始する。この場合、無線装置３は、送信先であり、無線装置５は、送信元である。
【００６４】
送信元である無線装置５は、周波数帯域ＢＷ０のシグナルチャネルにおいて送信パワーσｊｓ＝α×ＳＩＮＲＴｊ×Ｉｊｓ（ｋ−１）でプローブ信号ＰＲＢｊ（ｋ）を送信先である無線装置３へ送信する。送信先である無線装置３は、無線装置３が無線装置５からシグナルチャネルにおいてプローブ信号ＰＲＢｊ（ｋ）を受信するとき、無線装置２，４からそれぞれ干渉パワーＩ１，Ｉ２を受ける。
【００６５】
なお、送信パワーσ０は、無線装置１〜５の各々がＫｍａｘ個のプローブ信号ＰＲＢｊ（１）〜ＰＲＢｊ（Ｋｍａｘ）を初めて送信するときに使用される。送信パワーσ０は、無線通信システム１０において予め決定され、無線装置１〜５の各々は、送信パワーσ０を保持する。
【００６６】
無線装置３の送受信手段１２は、アンテナ１１が無線装置５からプローブ信号ＰＲＢｊ（ｋ）を受信したときに得られる干渉パワーＩｊｓ（ｋ）を計測する。無線装置３の送受信手段１２は、その計測した干渉パワーＩｊｓ（ｋ）を通信手段１３へ出力する。
【００６７】
無線装置３の通信手段１３は、送受信手段１２から干渉パワーＩｊｓ（ｋ）を受ける。そして、無線装置３の通信手段１３は、干渉パワーＩｊｓ（ｋ）と無線装置５のアドレスＡｄｄ５とを含むパケットＰＫＴ１＝[Ａｄｄ５／Ｉｊｓ（ｋ）］を生成し、その生成したパケットＰＫＴ１＝[Ａｄｄ５／Ｉｊｓ（ｋ）］を送受信手段１２へ出力する。
【００６８】
無線装置３の送受信手段１２は、通信手段１３からパケットＰＫＴ１＝[Ａｄｄ５／Ｉｊｓ（ｋ）］を受け、周波数帯域ＢＷ０のシグナルチャネルにおいてパケットＰＫＴ１＝[Ａｄｄ５／Ｉｊｓ（ｋ）］を無線装置５へ送信する。
【００６９】
無線装置５の送受信手段１２は、周波数帯域ＢＷ０のシグナルチャネルにおいてアンテナ１１を介してパケットＰＫＴ１＝[Ａｄｄ５／Ｉｊｓ（ｋ）］を受信する。そして、無線装置５の送受信手段１２は、パケットＰＫＴ１から干渉パワーＩｊｓ（ｋ）を取り出す。無線装置５の送受信手段１２は、その取り出した干渉パワーＩｊｓ（ｋ）を演算手段１５へ出力する。
【００７０】
無線装置５の演算手段１５は、送受信手段１２から干渉パワーＩｊｓ（ｋ）を受けると、送信パワーσｊｓ（ｋ−ｔ）＝ＳＩＮＲＴｊ×Ｉｊｓ（ｋ），σｊｄ（ｋ−ｔ）＝ＳＩＮＲＴｊ×Ｉｊｄ（ｋ）を演算し、その演算した送信σｊｓ（ｋ−ｔ）＝ＳＩＮＲＴｊ×Ｉｊｓ（ｋ），σｊｄ（ｋ−ｔ）＝ＳＩＮＲＴｊ×Ｉｊｄ（ｋ）を送受信手段１２へ出力する。
【００７１】
また、無線装置５の演算手段１５は、式（１）を用いて評価項目｜Ｗｊ（ｋ，ｔ）|を演算し、その演算した評価項目｜Ｗｊ（ｋ，ｔ）|を判定手段１４へ出力する。
【００７２】
無線装置５の判定手段１４は、Ｋｍａｘ個の評価項目｜Ｗｊ（１，ｔ）|〜｜Ｗｊ（Ｋｍａｘ，ｔ）|を演算手段１５から受けると、評価項目｜Ｗｊ（Ｋｍａｘ，ｔ）|が１より小さいか否かを判定する。評価項目｜Ｗｊ（Ｋｍａｘ，ｔ）|が１より小さいと判定されたとき、無線装置５の判定手段１４は、ＣＯＫ信号を生成し、その生成したＣＯＫ信号を送受信手段１２および通信手段１３へ出力する。
【００７３】
無線装置５の通信手段１３は、判定手段１４からＣＯＫ信号を受けると、通常のデータと、送信先である無線装置３のアドレスＡｄｄ３とを含むパケットＰＫＴ２＝[Ａｄｄ３/Ｄａｔａ]を生成し、その生成したパケットＰＫＴ２＝[Ａｄｄ３/Ｄａｔａ]を送受信手段１２へ出力する。
【００７４】
無線装置５の送受信手段１２は、演算手段１５から送信パワーσｊｓ（ｋ−ｔ）＝ＳＩＮＲＴｊ×Ｉｊｓ（ｋ），σｊｄ（ｋ−ｔ）＝ＳＩＮＲＴｊ×Ｉｊｄ（ｋ）を受け、通信手段１３からパケットＰＫＴ２＝[Ａｄｄ３/Ｄａｔａ]を受ける。無線装置５の送受信手段１２は、判定手段１４からＣＯＫ信号を受けると、送信周波数帯域ＢＷ１のデータチャネルにおいてパワーσｊｄ（ｋ−ｔ）＝ＳＩＮＲＴｊ×Ｉｊｄ（ｋ）でパケットＰＫＴ２＝[Ａｄｄ３/Ｄａｔａ]を無線装置３へ送信する。
【００７５】
無線装置３の送受信手段１２は、周波数帯域ＢＷ１のデータチャネルにおいてパケットＰＫＴ２＝[Ａｄｄ３/Ｄａｔａ]を受信し、パケットＰＫＴ２＝[Ａｄｄ３/Ｄａｔａ]を通信手段１３へ出力する。そして、無線装置３の通信手段１３はパケットＰＫＴ２＝[Ａｄｄ３/Ｄａｔａ]を受理する。
【００７６】
なお、評価項目｜Ｗｊ（Ｋｍａｘ，ｔ）|が１以上であると判定されたとき、無線装置５の判定手段１４は、信号を生成しないので、無線装置５の通信手段１３は、パケットＰＫＴ２＝[Ａｄｄ３/Ｄａｔａ]を生成せず、無線装置５の送受信手段１２は、パケットＰＫＴ２＝[Ａｄｄ３/Ｄａｔａ]を送信しない。この場合、無線装置５の通信手段１３は、Ｋｍａｘ個のプローブ信号ＰＲＢｊ（１）〜ＰＲＢｊ（Ｋｍａｘ）を送信した後、所定の期間に、判定手段１４からＣＯＫ信号を受けないとき、Ｋｍａｘ個のプローブ信号ＰＲＢｊ（１）〜ＰＲＢｊ（Ｋｍａｘ）を、再度、生成し、その生成したＫｍａｘ個のプローブ信号ＰＲＢｊ（１）〜ＰＲＢｊ（Ｋｍａｘ）を送受信手段１２へ出力する。そして、無線装置５の送受信手段１２は、通信手段１３から受けたＫｍａｘ個のプローブ信号ＰＲＢｊ（１）〜ＰＲＢｊ（Ｋｍａｘ）を送信する。その後、無線装置５は、上述した方法によって無線通信が可能であるか否かを判定し、無線通信が可能であると判定したとき、通常のデータを含むパケットを送信先である無線装置３へ送信する。
【００７７】
図９は、実施例１による無線通信方法を示すフローチャートである。図９を参照して、一連の動作が開始されると、送信元は、ｋ＝１を設定し（ステップＳ１）、周波数帯域ＢＷ０のシグナルチャネルにおいて送信パワーσｊｓ＝α×ＳＩＮＲＴｊ×Ｉｊｓ（ｋ−１）またはσ０でプローブ信号ＰＲＢｊ（ｋ）を送信する（ステップＳ２）。
【００７８】
送信先は、アンテナ１１が送信元からシグナルチャネルにおいてプローブ信号ＰＲＢｊ（ｋ）を受信するときに得られる干渉パワーＩｊｓ（ｋ）を計測する（ステップＳ３）。送信先は、その計測した干渉パワーＩｊｓ（ｋ）を含むパケットＰＫＴ１＝［Ｉｊｓ（ｋ）］を生成し、その生成したパケットＰＫＴ１＝［Ｉｊｓ（ｋ）］を送信元へ送信する(ステップＳ４)。
【００７９】
送信元は、送信先からパケットＰＫＴ１＝［Ｉｊｓ（ｋ）］を受信する(ステップＳ５)。送信元は、パケットＰＫＴ１から干渉パワーＩｊｓ（ｋ）を取り出す。送信元は、送信パワーσｊｓ（ｋ）＝α×ＳＩＮＲＴｊ×Ｉｊｓ（ｋ）を演算する(ステップＳ６)。また、送信元は、上述した方法によって、評価項目｜Ｗｊ（ｋ，ｔ）｜を演算する（ステップＳ７）。
【００８０】
送信元は、ｋがＫｍａｘに等しいか否かを判定する（ステップＳ８）。ステップＳ８においてｋがＫｍａｘに等しくないと判定されたとき、送信元は、ｋ＝ｋ＋１を設定する（ステップＳ９）。その後、一連の動作は、ステップＳ２へ戻り、ステップＳ８においてｋがＫｍａｘに等しいと判定されるまで、ステップＳ２〜Ｓ９が繰り返し実行される。
【００８１】
一方、ステップＳ８においてｋがＫｍａｘに等しいと判定されたとき、送信元は、評価項目｜Ｗｊ（Ｋｍａｘ，ｔ）｜が１よりも小さいか否かを更に判定する（ステップ１０）。
【００８２】
ステップ１０において、評価項目｜Ｗｊ（Ｋｍａｘ，ｔ）｜が１よりも小さいと判定されたとき、送信元は、通常のデータを含むパケットＰＫＴ２＝［Ｄａｔａ］を生成し、周波数帯域ＢＷ１のデータチャネルにおいて送信パワーσｊｄ（ｋ）でパケットＰＫＴ２＝［Ｄａｔａ］を送信先へ送信する（ステップＳ１１）。なお、送信元は、送信パワーσｊｄ（ｋ）＝ＳＩＮＲＴｊ×Ｉｊｄ（ｋ）を演算し、送信パワーσｊｄ（ｋ）＝ＳＩＮＲＴｊ×Ｉｊｄ（ｋ）を保持する。送信先は、周波数帯域ＢＷ１のデータチャネルにおいてパケットＰＫＴ２＝［Ｄａｔａ］を受信する（ステップＳ１２）。
【００８３】
ステップＳ１０において、評価項目｜Ｗｊ（Ｋｍａｘ，ｔ）｜が１以上であると判定されたとき、またはステップＳ１２の後、一連の動作は、終了する。
【００８４】
なお、送信元は、ステップＳ１〜Ｓ１２を繰り返し実行することによって、送信先へ通常のデータを含むパケットを送信する。
【００８５】
上述したように、送信元は、評価項目｜Ｗｊ（Ｋｍａｘ，ｔ）｜が１よりも小さいと判定されたとき、無線通信が可能であると判定し、通常のデータを含むパケットＰＫＴ２＝［Ｄａｔａ］を送信する（ステップＳ１０の“ＹＥＳ”およびステップＳ１１参照）。その理由は、次のとおりである。評価項目｜Ｗｊ（１，ｔ）｜〜｜Ｗｊ（Ｋｍａｘ，ｔ）｜の各々は、式（１）を用いて演算される。従って、評価項目｜Ｗｊ（１，ｔ）｜〜｜Ｗｊ（Ｋｍａｘ，ｔ）｜の各々は、送信先によって計測された干渉パワーＩｊｓ（ｋ）に比例する。その結果、評価項目｜Ｗｊ（Ｋｍａｘ，ｔ）｜が１よりも小さいとき、送信先の干渉パワーＩｊｓ（ｋ）は、送信元の送信パワーが一定ならば、一定になる。送信先の干渉パワーＩｊｓ（ｋ）が一定になれば、無線通信空間は、安定になる。従って、評価項目｜Ｗｊ（Ｋｍａｘ，ｔ）｜が１よりも小さいと判定されたとき、無線通信が可能であると判定することにしたものである。
【００８６】
上述したように、送信元は、Ｋｍａｘ個の評価項目｜Ｗｊ（１，ｔ）｜〜｜Ｗｊ（Ｋｍａｘ，ｔ）｜を演算し、評価項目｜Ｗｊ（Ｋｍａｘ，ｔ）｜が１よりも小さいと判定されたとき、無線通信が可能であると判定する。従って、送信元は、無線通信が可能であるか否かを簡単に判定できる。
【００８７】
更に、送信元は、干渉パワーＩｊｓ（ｋ）を受信すると、送信パワーσｊｓ（ｋ）＝α×ＳＩＮＲＴｊ×Ｉｊｓ（ｋ）を演算する。従って、送信パワーσｊｓ（ｋ）＝α×ＳＩＮＲＴｊ×Ｉｊｓ（ｋ）を決定する時間を短くできる。
【００８８】
［実施の形態２］
図１０は、図１に示す無線装置１〜５の実施の形態２における構成図である。実施の形態２においては、無線装置１〜５の各々は、図１０に示す無線装置１Ａからなる。
【００８９】
図１０を参照して、無線装置１Ａは、図２に示す無線装置１の判定手段１４および演算手段１５をそれぞれ判定手段１４Ａおよび演算手段１５Ａに代えたものであり、その他の部分は、無線装置１と同じである。
【００９０】
判定手段１４Ａは、Ｋｍａｘ個の評価項目｜Ｗｊ（１，ｔ）｜／α〜｜Ｗｊ（Ｋｍａｘ，ｔ）｜／αを演算手段１５Ａから受ける。そして、判定手段１４Ａは、評価項目｜Ｗｊ（Ｋｍａｘ，ｔ）｜／αが１よりも小さいか否かを判定する。評価項目｜Ｗｊ（Ｋｍａｘ，ｔ）｜／αが１よりも小さいと判定されたとき、判定手段１４Ａは、信号ＣＯＫを生成し、その生成した信号ＣＯＫを送受信手段１２および通信手段１３へ出力する。一方、評価項目｜Ｗｊ（Ｋｍａｘ，ｔ）｜／αが１以上であると判定されたとき、判定手段１４Ａは、信号を生成しない。
【００９１】
その他の機能については、判定手段１４Ａは、判定手段１４と同じ機能を果たす。
【００９２】
演算手段１５Ａは、送受信手段１２から干渉パワーＩｊｓ（ｋ）を受けると、上述した方法によって評価項目｜Ｗｊ（ｋ，ｔ）｜を演算する。そして、演算手段１５Ａは、評価項目｜Ｗｊ（ｋ，ｔ）｜／αを演算し、評価項目｜Ｗｊ（ｋ，ｔ）｜／αを判定手段１４Ａへ出力する。
【００９３】
その他の機能については、演算手段１５Ａは、演算手段１５と同じ機能を果たす。
【００９４】
図１１は、実施の形態２による無線通信方法を示すフローチャートである。図１１に示すフローチャートは、図９に示すフローチャートのステップＳ７をステップＳ７Ａに代えたものであり、その他の部分は、図９に示すフローチャートと同じである。
【００９５】
図１１を参照して、一連の動作が開始されると、ステップＳ１〜Ｓ６が上述したように実行される。ステップＳ６の後、送信元は、評価項目｜Ｗｊ（ｋ，ｔ）｜／αを演算する（ステップＳ７Ａ）。そして、ステップＳ８〜Ｓ１２が上述したように実行される。
【００９６】
なお、送信元は、ステップＳ１〜Ｓ６，Ｓ７Ａ，Ｓ８〜Ｓ１２を繰り返し実行することによって、通常のデータを含むパケットを送信先へ送信する。
【００９７】
上述したように、送信元は、Ｋｍａｘ個の評価項目｜Ｗｊ（１，ｔ）｜／α〜｜Ｗｊ（Ｋｍａｘ，ｔ）｜／αを演算し、評価項目｜Ｗｊ（Ｋｍａｘ，ｔ）｜／αが１よりも小さいと判定されたとき、無線通信が可能であると判定する。従って、送信元は、無線通信が可能であるか否かを簡単に判定できる。
【００９８】
実施の形態２におけるその他の説明については、実施の形態１と同じである。
【００９９】
［実施の形態３］
図１２は、図１に示す無線装置１〜５の実施の形態３における構成図である。実施の形態３においては、無線装置１〜５の各々は、図１２に示す無線装置１Ｂからなる。
【０１００】
図１２を参照して、無線装置１Ｂは、図２に示す無線装置１の判定手段１４および演算手段１５をそれぞれ判定手段１４Ｂおよび演算手段１５Ｂに代えたものであり、その他の部分は、無線装置１と同じである。
【０１０１】
判定手段１４Ｂは、演算手段１５Ｂから外挿値Ｌを受ける。そして、判定手段１４Ｂは、外挿値Ｌが１よりも小さいか否かを判定する。判定手段１４Ｂは、外挿値Ｌが１よりも小さいと判定したとき、信号ＣＯＫを生成し、その生成した信号ＣＯＫを送受信手段１２および通信手段１３へ出力する。一方、判定手段１４Ｂは、外挿値Ｌが１以上であると判定したとき、信号を生成しない。
【０１０２】
判定手段１４Ｂは、その他の機能については、判定手段１４と同じ機能を果たす。
【０１０３】
演算手段１５Ｂは、干渉パワーＩｊｓ（ｋ）を送受信手段１２から受けると、上述した方法によって、評価項目｜Ｗｊ（ｋ，ｔ）｜を演算する。演算手段１５Ｂは、Ｋｍａｘ個の評価項目｜Ｗｊ（１，ｔ）｜〜｜Ｗｊ（Ｋｍａｘ，ｔ）｜の演算を完了すると、指数関数を用いてＫｍａｘ個の評価項目｜Ｗｊ（１，ｔ）｜〜｜Ｗｊ（Ｋｍａｘ，ｔ）｜を外挿し、外挿値Ｌを得る。そして、演算手段１５Ｂは、外挿値Ｌを判定手段１４Ｂへ出力する。
【０１０４】
演算手段１５Ｂは、その他の機能については、演算手段１５と同じ機能を果たす。
【０１０５】
図１３は、外挿値Ｌを決定する方法を説明するための概念図である。図１３において、縦軸は、評価項目｜Ｗｊ（ｋ，ｔ）｜を表し、横軸は、時間を表す。曲線ｋ５は、指数関数を表す。なお、図１３は、４個の評価項目｜Ｗｊ（１，ｔ）｜〜｜Ｗｊ（４，ｔ）｜が演算される場合を示す。
【０１０６】
図１３を参照して、送信元である無線装置１〜５（＝１Ｂ）の各々において、演算手段１５Ｂは、例えば、４個の評価項目｜Ｗｊ（１，ｔ）｜〜｜Ｗｊ（４，ｔ）｜を演算する。そして、演算手段１５Ｂは、例えば、ａ×（ｔ）１／２の指数関数（＝ｋ５）を用いて４個の評価項目｜Ｗｊ（１，ｔ）｜〜｜Ｗｊ（４，ｔ）｜を外挿する。なお、ａは、定数である。
【０１０７】
その結果、演算手段１５Ｂは、指数関数（＝ｋ５）が一定になる値を外挿値Ｌとして得る。
【０１０８】
図１４は、実施の形態３による無線通信方法を示すフローチャートである。図１４に示すフローチャートは、図９に示すフローチャートのステップＳ１０をステップＳ１０Ａ，Ｓ１０Ｂに代えたものであり、その他の部分は、図９に示すフローチャートと同じである。
【０１０９】
図１４を参照して、一連の動作が開始されると、ステップＳ１〜Ｓ９が上述したように実行される。ステップＳ８において、ｋがＫｍａｘに等しいと判定されると、送信元は、Ｋｍａｘ個の評価項目｜Ｗｊ（１，ｔ）｜〜｜Ｗｊ（Ｋｍａｘ，ｔ）｜を外挿し、外挿値Ｌを得る（ステップＳ１０Ａ）。そして、送信元は、外挿値Ｌが１よりも小さいか否かを判定する（ステップＳ１０Ｂ）。
【０１１０】
ステップＳ１０Ｂにおいて、外挿値Ｌが１よりも小さいと判定されたとき、ステップＳ１１，Ｓ１２が上述したように実行される。
【０１１１】
一方、ステップＳ１０Ｂにおいて、外挿値Ｌが１以上であると判定されたとき、一連の動作は、終了する。
【０１１２】
なお、送信元は、ステップＳ１〜Ｓ９，Ｓ１０Ａ，Ｓ１０Ｂ，Ｓ１１，Ｓ１２を繰返し実行することによって通常のデータを含むパケットを送信先へ送信する。
【０１１３】
上述したように、送信元は、外挿値Ｌが１よりも小さいと判定されたとき、パケットＰＫＴ２＝［Ｄａｔａ］を送信先へ送信する（ステップＳ１０Ｂの“ＹＥＳ”およびステップＳ１１参照）。その理由は、次のとおりである。外挿値Ｌが１よりも小さいとき、干渉パワーＩｊｓ（ｋ）は、送信パワーσｊｓ（ｋ）よりも小さい。その結果、送信先は、通常のデータを含むパケットＰＫＴ２＝［Ｄａｔａ］を安定して受信できる。従って、外挿値Ｌが１よりも小さいとき、無線通信が可能であると判定することにしたものである。
【０１１４】
実施の形態３においては、送信元は、Ｋｍａｘ個の評価項目｜Ｗｊ（１，ｔ）｜〜｜Ｗｊ（Ｋｍａｘ，ｔ）｜を演算し、Ｋｍａｘ個の評価項目｜Ｗｊ（１，ｔ）｜〜｜Ｗｊ（Ｋｍａｘ，ｔ）｜を外挿して外挿値Ｌを取得し、外挿値Ｌを用いて無線通信が可能であるか否かを判定する。従って、無線通信が可能であるか否かを判定するためのエネルギーを低減できる。
【０１１５】
実施の形態３におけるその他の説明は、実施の形態１と同じである。
【０１１６】
［実施の形態４］
図１５は、図１に示す無線装置１〜５の実施の形態４における構成図である。実施の形態４においては、無線装置１〜５の各々は、図１５に示す無線装置１Ｃからなる。
【０１１７】
図１５を参照して、無線装置１Ｃは、図２に示す無線装置１の送受信手段１２、通信手段１３、判定手段１４および演算手段１５をそれぞれ送受信手段１２Ａ、通信手段１３Ａ、判定手段１４Ｃおよび演算手段１５Ｃに代えたものであり、その他の部分は、無線装置１と同じである。
【０１１８】
送受信手段１２Ａは、ｍ（ｍは２以上）個の送信パワーσ０１〜σ０ｍを演算手段１５Ｃから受ける。例えば、ｍ個の送信パワーσ０１〜σ０ｍは、それぞれ、０．１×σｊｓ，０．２×σｊｓ，０．３×σｊｓである。
【０１１９】
送受信手段１２Ａは、Ｋｍａｘ個のプローブ信号ＰＲＢｊ（１）〜ＰＲＢｊ（Ｋｍａｘ）を通信手段１３Ａから受けると、周波数帯域ＢＷ０のシグナルチャネルにおいて送信パワーσ０１〜σ０ｍの各々でＫｍａｘ個のプローブ信号ＰＲＢｊ（１）〜ＰＲＢｊ（Ｋｍａｘ）を送信先へ送信する。
【０１２０】
送信先の送受信手段１２Ａは、アンテナ１１が送信パワーσ０１で送信されたＫｍａｘ個のプローブ信号ＰＲＢｊ（１）〜ＰＲＢｊ（Ｋｍａｘ）を受信したときに得られるＫｍａｘ個の干渉パワーＩｊ（１）１〜Ｉｊ（Ｋｍａｘ）１を計測する。また、送信先の送受信手段１２Ａは、アンテナ１１が送信パワーσ０２で送信されたＫｍａｘ個のプローブ信号ＰＲＢｊ（１）〜ＰＲＢｊ（Ｋｍａｘ）を受信したときに得られるＫｍａｘ個の干渉パワーＩｊ（１）２〜Ｉｊ（Ｋｍａｘ）２を計測する。送信先の送受信手段１２Ａは、同様にして、アンテナ１１が送信パワーσ０ｍで送信されたＫｍａｘ個のプローブ信号ＰＲＢｊ（１）〜ＰＲＢｊ（Ｋｍａｘ）を受信したときに得られるＫｍａｘ個の干渉パワーＩｊ（１）ｍ〜Ｉｊ（Ｋｍａｘ）ｍを計測する。そして、送受信手段１２Ａは、干渉パワーＩｊ（１）１〜Ｉｊ（Ｋｍａｘ）１，Ｉｊ（１）２〜Ｉｊ（Ｋｍａｘ）２，・・・，Ｉｊ（１）ｍ〜Ｉｊ（Ｋｍａｘ）ｍを通信手段１３Ａへ出力する。
【０１２１】
送信先の送受信手段１２Ａは、ｍ個のグループＧ１＝［Ｉｊ（１）１〜Ｉｊ（Ｋｍａｘ）１］，Ｇ２＝［Ｉｊ（１）２〜Ｉｊ（Ｋｍａｘ）２］，・・・，Ｇｍ＝［Ｉｊ（１）ｍ〜Ｉｊ（Ｋｍａｘ）ｍ］を含むパケットＰＫＴ１＝［Ｇ１／Ｇ２／・・・／Ｇｍ］を通信手段１３Ａから受ける。そして、送信先の送受信手段１２Ａは、周波数帯域ＢＷ０のシグナルチャネルにおいてパケットＰＫＴ１＝［Ｇ１／Ｇ２／・・・／Ｇｍ］を送信元へ送信する。
【０１２２】
送信元の送受信手段１２Ａは、周波数帯域ＢＷ０のシグナルチャネルにおいてアンテナ１１を介してパケットＰＫＴ１＝［Ｇ１／Ｇ２／・・・／Ｇｍ］を送信先から受信する。送信元の送受信手段１２Ａは、ｍ個のグループＧ１〜ＧｍをパケットＰＫＴ１から取り出し、その取り出したｍ個のグループＧ１〜Ｇｍを演算手段１５Ｃへ出力する。
【０１２３】
送受信手段１２Ａは、その他の機能については、送受信手段１２と同じ機能を果たす。
【０１２４】
通信手段１３Ａは、ｍ個のグループＧ１〜Ｇｍを送受信手段１２Ａから受ける。そして、通信手段１３Ａは、パケットＰＫＴ１＝［Ｇ１／Ｇ２／・・・／Ｇｍ］を生成し、パケットＰＫＴ１＝［Ｇ１／Ｇ２／・・・／Ｇｍ］を送受信手段１２Ａへ出力する。
【０１２５】
通信手段１３Ａは、その他の機能については、通信手段１３と同じ機能を果たす。
【０１２６】
判定手段１４Ｃは、外挿最大値ＬＭＡＸを演算手段１５Ｃから受ける。そして、判定手段１４Ｃは、外挿最大値ＬＭＡＸが１よりも小さいか否かを判定する。判定手段１４Ｃは、外挿最大値ＬＭＡＸが１よりも小さいと判定されたとき、信号ＣＯＫを生成し、その生成した信号ＣＯＫを送受信手段１２Ａおよび通信手段１３Ａへ出力する。
【０１２７】
演算手段１５Ｃは、送信パワーσｊｓに一定値ｃ１，ｃ２，・・・，ｃｍを乗算することによってｍ個の送信パワーσ０１，σ０２，・・・，σ０ｍを演算する。一定値ｃ１，ｃ２，・・・，ｃｍの各々は、０よりも大きく、かつ、０．５よりも小さい。そして、演算手段１５Ｃは、その演算した送信パワーσ０１，σ０２，・・・，σ０ｍを送受信手段１２Ａへ出力する。
【０１２８】
演算手段１５Ｃは、ｍ個のグループＧ１〜Ｇｍを送受信手段１２Ａから受ける。演算手段１５Ｃは、グループＧ１に基づいて、Ｋｍａｘ個の送信パワーσ１１＝ＳＩＮＲＴｊ×Ｉｊｓ（１）１，σ１２＝ＳＩＮＲＴｊ×Ｉｊｓ（２）１，・・・，σ１Ｋｍａｘ＝ＳＩＮＲＴｊ×Ｉｊｓ（Ｋｍａｘ）１を演算する。また、演算手段１５Ｃは、グループＧ２に基づいて、Ｋｍａｘ個の送信パワーσ２１＝ＳＩＮＲＴｊ×Ｉｊｓ（１）２，σ２２＝ＳＩＮＲＴｊ×Ｉｊｓ（２）２，・・・，σ２Ｋｍａｘ＝ＳＩＮＲＴｊ×Ｉｊｓ（Ｋｍａｘ）２を演算する。同様にして、演算手段１５Ｃは、グループＧｍに基づいて、Ｋｍａｘ個の送信パワーσｍ１＝ＳＩＮＲＴｊ×Ｉｊｓ（１）ｍ，σｍ２＝ＳＩＮＲＴｊ×Ｉｊｓ（２）ｍ，・・・，σｍＫｍａｘ＝ＳＩＮＲＴｊ×Ｉｊｓ（Ｋｍａｘ）ｍを演算する。
【０１２９】
演算手段１５Ｃは、パラメータａｊ、Ｋｍａｘ個の送信パワーσ１１〜σ１ＫｍａｘおよびＫｍａｘ個の干渉パワーＩｊｓ（１）１〜Ｉｊｓ（Ｋｍａｘ）１を式（１）に代入することによって、Ｋｍａｘ個の評価項目｜Ｗ１１（ｋ，ｔ）｜，｜Ｗ１２（ｋ，ｔ）｜，・・・，｜Ｗ１Ｋｍａｘ（Ｋｍａｘ，ｔ）｜を演算する。また、演算手段１５Ｃは、パラメータａｊ、Ｋｍａｘ個の送信パワーσ２１〜σ２ＫｍａｘおよびＫｍａｘ個の干渉パワーＩｊｓ（１）２〜Ｉｊｓ（Ｋｍａｘ）２を式（１）に代入することによって、Ｋｍａｘ個の評価項目｜Ｗ２１（ｋ，ｔ）｜，｜Ｗ２２（ｋ，ｔ）｜，・・・，｜Ｗ２Ｋｍａｘ（Ｋｍａｘ，ｔ）｜を演算する。同様にして、演算手段１５Ｃは、パラメータａｊ、Ｋｍａｘ個の送信パワーσｍ１〜σｍＫｍａｘおよびＫｍａｘ個の干渉パワーＩｊｓ（１）ｍ〜Ｉｊｓ（Ｋｍａｘ）ｍを式（１）に代入することによって、Ｋｍａｘ個の評価項目｜Ｗｍ１（ｋ，ｔ）｜，｜Ｗｍ２（ｋ，ｔ）｜，・・・，｜ＷｍＫｍａｘ（Ｋｍａｘ，ｔ）｜を演算する。
【０１３０】
その後、演算手段１５Ｃは、Ｋｍａｘ個の評価項目｜Ｗ１１（ｋ，ｔ）｜，｜Ｗ１２（ｋ，ｔ）｜，・・・，｜Ｗ１Ｋｍａｘ（Ｋｍａｘ，ｔ）｜を外挿して外挿値Ｌ１を得る。また、演算手段１５Ｃは、Ｋｍａｘ個の評価項目｜Ｗ２１（ｋ，ｔ）｜，｜Ｗ２２（ｋ，ｔ）｜，・・・，｜Ｗ２Ｋｍａｘ（Ｋｍａｘ，ｔ）｜を外挿して外挿値Ｌ２を得る。同様にして、演算手段１５Ｃは、Ｋｍａｘ個の評価項目｜Ｗｍ１（ｋ，ｔ）｜，｜Ｗｍ２（ｋ，ｔ）｜，・・・，｜ＷｍＫｍａｘ（Ｋｍａｘ，ｔ）｜を外挿して外挿値Ｌｍを得る。
【０１３１】
更に、演算手段１５Ｃは、目標の信号対雑音干渉比ＳＩＮＲＴｊに干渉パワーＩｊｓ（ｋ）を乗算して得られる送信パワーσｊｓ（ｋ）が用いられるときに外挿される、外挿最大値ＬＭＡＸを推定する。そして、演算手段１５Ｃは、外挿最大値ＬＭＡＸを判定手段１４Ｃへ出力する。
【０１３２】
演算手段１５Ｃは、その他の機能については、演算手段１５と同じ機能を果たす。
【０１３３】
図１６は、外挿最大値ＬＭＡＸを推定する方法を説明するための概念図である。図１６において、縦軸は、外挿値を表し、横軸は、ｃ×ＳＩＮＲを表す。ｃは、ｃ１，ｃ２，・・・，ｃｍである。なお、図１６は、３個の外挿値Ｌ１〜Ｌ３が外挿される場合を示す。
【０１３４】
図１６を参照して、送信元である無線装置１〜５の各々において、演算手段１５Ｃは、上述した方法によって、評価項目｜Ｗ１１（ｋ，ｔ）｜，｜Ｗ１２（ｋ，ｔ）｜，・・・，｜Ｗ１Ｋｍａｘ（Ｋｍａｘ，ｔ）｜，｜Ｗ２１（ｋ，ｔ）｜，｜Ｗ２２（ｋ，ｔ）｜，・・・，｜Ｗ２Ｋｍａｘ（Ｋｍａｘ，ｔ）｜，｜Ｗ３１（ｋ，ｔ）｜，｜Ｗ３２（ｋ，ｔ）｜，・・・，｜Ｗ３Ｋｍａｘ（Ｋｍａｘ，ｔ）｜を外挿して外挿値Ｌ１〜Ｌ３を得る。外挿値Ｌ１〜Ｌ３は、それぞれ、０．１×ＳＩＮＲ、０．２×ＳＩＮＲ、および０．３×ＳＩＮＲが用いられるときに外挿される。
【０１３５】
そして、演算手段１５Ｃは、外挿値Ｌ１〜Ｌ３に基づいて、直線ｋ６を演算する。その後、演算手段１５Ｃは、直線ｋ６に基づいて、１．０×ＳＩＮＲが用いられるときに外挿される外挿最大値ＬＭＡＸを推定する。
【０１３６】
図１７は、実施の形態４による無線通信方法を示すフローチャートである。図１７を参照して、一連の動作が開始されると、送信元は、ｐ＝１を設定し（ステップＳ２１）、ｋ＝１を設定する（ステップＳ２２）。送信元は、周波数帯域ＢＷ０のシグナルチャネルにおいて送信パワーσ０ｐ（ｋ）でプローブ信号ＰＲＢｊ（ｋ）を送信する（ステップＳ２３）。
【０１３７】
送信先は、アンテナ１１がシグナルチャネルで送信元からプローブ信号ＰＲＢｊ（ｋ）を受信したときに得られる干渉パワーＩｊｓ（ｋ）ｐを計測する（ステップＳ２４）。送信先は、その計測した干渉パワーＩｊｓ（ｋ）ｐを含むパケットＰＫＴ１＝［Ｉｊｓ（ｋ）ｐ］を生成し、その生成したパケットＰＫＴ１＝［Ｉｊｓ（ｋ）ｐ］を送信元へ送信する（ステップＳ２５）。
【０１３８】
送信元は、送信先からパケットＰＫＴ１＝［Ｉｊｓ（ｋ）ｐ］を受信する（ステップＳ２６）。送信元は、パケットＰＫＴ１から干渉パワーＩｊｓ（ｋ）ｐを取り出す。送信元は、送信パワーσｊｓｐ（ｋ）＝α×ＳＩＮＲＴｊ×Ｉｊｓ（ｋ）ｐを演算する（ステップＳ２７）。また、送信元は、評価項目｜Ｗｊｐ（ｋ，ｔ）｜を演算する（ステップＳ２８）。
【０１３９】
送信元は、ｋがＫｍａｘに等しいか否かを判定する（ステップＳ２９）。ステップＳ２９において、ｋがＫｍａｘに等しくないと判定されたとき、送信元は、ｋ＝ｋ＋１を設定する（ステップＳ３０）。その後、一連の動作は、ステップＳ２３へ移行し、ステップＳ２９においてｋがＫｍａｘに等しいと判定されるまで、ステップＳ２３〜Ｓ３０が繰返し実行される。
【０１４０】
一方、ステップＳ２９において、ｋがＫｍａｘに等しいと判定されたとき、送信元は、ｐがｍに等しいか否かを更に判定する（ステップＳ３１）。ステップＳ３１において、ｐがｍに等しくないと判定されたとき、送信元は、ｐ＝ｐ＋１を設定する（ステップＳ３２）。その後、一連の動作は、ステップＳ２２へ移行し、ステップＳ３１において、ｐがｍに等しいと判定されるまで、ステップＳ２２〜Ｓ３２が繰返し実行される。
【０１４１】
一方、ステップＳ３１において、ｐがｍに等しいと判定されたとき、送信元は、外挿最大値ＬＭＡＸを推定する（ステップＳ３３）。送信元は、外挿最大値ＬＭＡＸが１よりも小さいか否かを判定する（ステップＳ３４）。
【０１４２】
ステップＳ３４において、外挿最大値ＬＭＡＸが１よりも小さいと判定されたとき、送信元は、通常のデータを含むパケットＰＫＴ２＝［Ｄａｔａ］を生成し、周波数帯域ＢＷ１のデータチャネルにおいて送信パワーσｊｄ（ｋ）でパケットＰＫＴ２＝［Ｄａｔａ］を送信先へ送信する（ステップＳ３５）。送信先は、周波数帯域ＢＷ１のデータチャネルにおいてパケットＰＫＴ２＝［Ｄａｔａ］を受信する（ステップＳ３６）。
【０１４３】
ステップＳ３４において、外挿最大値ＬＭＡＸが１以上であると判定されたとき、またはステップＳ３６の後、一連の動作は、終了する。
【０１４４】
なお、送信元は、ステップＳ２１〜Ｓ３６を繰返し実行することによって通常のデータを含むパケットを送信先へ送信する。
【０１４５】
図１８は、図１７に示すステップＳ３３の詳細な動作を説明するためのフローチャートである。
【０１４６】
図１８を参照して、ステップＳ３１において、ｐがｍに等しいと判定されたとき、送信元は、［Ｉｊ（１）１〜Ｉｊ（Ｋｍａｘ）１］，［Ｉｊ（１）２〜Ｉｊ（Ｋｍａｘ）２］，・・・，［Ｉｊ（１）ｍ〜Ｉｊ（Ｋｍａｘ）ｍ］を用いて送信パワーσ１１〜σ１Ｋｍａｘ，σ２１〜σ２Ｋｍａｘ，・・・，σｍ１〜σｍＫｍａｘを演算する（ステップＳ３３１）。
【０１４７】
送信元は、パラメータａｊ、送信パワーσ１１〜σ１Ｋｍａｘ，σ２１〜σ２Ｋｍａｘ，・・・，σｍ１〜σｍＫｍａｘ、および干渉パワーＩｊ（１）１〜Ｉｊ（Ｋｍａｘ）１，Ｉｊ（１）２〜Ｉｊ（Ｋｍａｘ）２，・・・，Ｉｊ（１）ｍ〜Ｉｊ（Ｋｍａｘ）ｍを式（１）に代入して評価項目｜Ｗ１１（１，ｔ）｜〜｜Ｗ１Ｋｍａｘ（Ｋｍａｘ，ｔ）｜，｜Ｗ２１（１，ｔ）｜〜｜Ｗ２Ｋｍａｘ（Ｋｍａｘ，ｔ）｜，・・・，｜Ｗｍ１（１，ｔ）｜〜｜ＷｍＫｍａｘ（Ｋｍａｘ，ｔ）｜を演算する（ステップＳ３３２）。
【０１４８】
送信元は、Ｋｍａｘ個の評価項目｜Ｗ１１（１，ｔ）｜〜｜Ｗ１Ｋｍａｘ（Ｋｍａｘ，ｔ）｜を外挿して外挿値Ｌ１を取得し、Ｋｍａｘ個の評価項目｜Ｗ２１（１，ｔ）｜〜｜Ｗ２Ｋｍａｘ（Ｋｍａｘ，ｔ）｜を外挿して外挿値Ｌ２を取得し、同様にして、Ｋｍａｘ個の評価項目｜Ｗｍ１（１，ｔ）｜〜｜ＷｍＫｍａｘ（Ｋｍａｘ，ｔ）｜を外挿して外挿値Ｌｍを取得する（ステップＳ３３３）。
【０１４９】
送信元は、外挿値Ｌ１〜Ｌｍに基づいて、目標の信号対雑音干渉比ＳＩＮＲＴｊに干渉パワーＩｊｓ（ｋ）を乗算することによって得られた送信パワーσｊｓ（ｋ）が使用されるときに外挿される外挿最大値ＬＭＡＸを推定する（ステップＳ３３４）。
【０１５０】
ステップＳ３３４の後、一連の動作は、図１７のステップＳ３４へ移行する。
【０１５１】
送信元は、ステップＳ２３〜Ｓ３０を、Ｋｍａｘ回、繰返し実行することによってＫｍａｘ個のプローブ信号ＰＲＢｊ（１）〜ＰＲＢｊ（Ｋｍａｘ）を送信先へ送信する。
【０１５２】
ステップＳ２２〜Ｓ３２が、ｍ回、繰返し実行されるとき、送信元は、ｍ個の送信パワーσ０１（ｋ）〜σ０ｍ（ｋ）でＫｍａｘ個のプローブ信号ＰＲＢｊ（１）〜ＰＲＢｊ（Ｋｍａｘ）を送信する。
【０１５３】
例えば、ｍが３に等しいとき、送信パワーσ０１（ｋ），σ０２（ｋ），σ０３（ｋ）は、それぞれ、０．１×σｊｓ（ｋ），０．２×σｊｓ（ｋ），０．３×σｊｓ（ｋ）に設定される。送信パワーσｊｓ（ｋ）は、目標の信号対雑音干渉比ＳＩＮＲＴｊに干渉パワーＩｊｓ（ｋ）を乗算することによって得られる送信パワーである。
【０１５４】
干渉パワーＩｊｓ（１）１〜Ｉｊｓ（Ｋｍａｘ）１は、送信先が送信パワーσ０１（ｋ）で送信されたプローブ信号ＰＲＢｊ（１）〜ＰＲＢｊ（Ｋｍａｘ）を受信したときに計測される。従って、評価項目｜Ｗ１１（１，ｔ）｜〜｜Ｗ１Ｋｍａｘ（Ｋｍａｘ，ｔ）｜は、０．１×｜Ｗｊ（１，ｔ）｜〜０．１×｜Ｗｊ（Ｋｍａｘ，ｔ）｜に等しい。
【０１５５】
干渉パワーＩｊｓ（１）２〜Ｉｊｓ（Ｋｍａｘ）２は、送信先が送信パワーσ０２（ｋ）で送信されたプローブ信号ＰＲＢｊ（１）〜ＰＲＢｊ（Ｋｍａｘ）を受信したときに計測される。従って、評価項目｜Ｗ２１（１，ｔ）｜〜｜Ｗ２Ｋｍａｘ（Ｋｍａｘ，ｔ）｜は、０．２×｜Ｗｊ（１，ｔ）｜〜０．２×｜Ｗｊ（Ｋｍａｘ，ｔ）｜に等しい。
【０１５６】
更に、干渉パワーＩｊｓ（１）３〜Ｉｊｓ（Ｋｍａｘ）３は、送信先が送信パワーσ０３（ｋ）で送信されたプローブ信号ＰＲＢｊ（１）〜ＰＲＢｊ（Ｋｍａｘ）を受信したときに計測される。従って、評価項目｜Ｗ３１（１，ｔ）｜〜｜Ｗ３Ｋｍａｘ（Ｋｍａｘ，ｔ）｜は、０．３×｜Ｗｊ（１，ｔ）｜〜０．３×｜Ｗｊ（Ｋｍａｘ，ｔ）｜に等しい。
【０１５７】
外挿値Ｌ１は、Ｋｍａｘ個の評価項目｜Ｗ１１（１，ｔ）｜〜｜Ｗ１Ｋｍａｘ（Ｋｍａｘ，ｔ）｜を外挿することによって得られ、外挿値Ｌ２は、Ｋｍａｘ個の評価項目｜Ｗ２１（１，ｔ）｜〜｜Ｗ２Ｋｍａｘ（Ｋｍａｘ，ｔ）｜を外挿することによって得られ、外挿値Ｌ３は、Ｋｍａｘ個の評価項目｜Ｗ３１（１，ｔ）｜〜｜Ｗ３Ｋｍａｘ（Ｋｍａｘ，ｔ）｜を外挿することによって得られる。
【０１５８】
更に、外挿最大値Ｌｍａｘは、３個の外挿値Ｌ１〜Ｌ３を用いて推定される。
【０１５９】
その結果、外挿最大値ＬＭＡＸは、干渉パワーＩｊ（１）〜Ｉｊ（Ｋｍａｘ）よりも低い干渉パワーＩｊｓ（１）１〜Ｉｊｓ（Ｋｍａｘ）１，Ｉｊｓ（１）２〜Ｉｊｓ（Ｋｍａｘ）２，Ｉｊｓ（１）３〜Ｉｊｓ（Ｋｍａｘ）３を用いて推定される。
【０１６０】
従って、より少ないエネルギーを用いて外挿最大値ＬＭＡＸを推定できる。その結果、無線通信が可能であるか否かを判定するためのエネルギーを低減できる。
【０１６１】
送信パワーσ０１（ｋ），σ０２（ｋ），σ０３（ｋ）は、それぞれ、０．１×σｊ（ｋ），０．２×σｊ（ｋ），０．３×σｊ（ｋ）に限られない。実施の形態４においては、送信パワーσ０１（ｋ），σ０２（ｋ），σ０３（ｋ）の各々は、目標の信号対雑音干渉比ＳＩＮＲＴｊに干渉パワーＩｊｓ（ｋ）を乗算し、その演算結果に、０よりも大きく、かつ、０．５よりも小さい予め決定された定数を乗算することによって得られたパワー範囲における任意のパワーに等しくてもよい。
【０１６２】
送信パワーσ０１（ｋ），σ０２（ｋ），σ０３（ｋ）は、任意の率で増加してもよい。送信パワーσ０１（ｋ）と送信パワーσ０２（ｋ）との差は、送信パワーσ０２（ｋ）と送信パワーσ０３（ｋ）との差と同じであってもよく、異なっていてもよい。
【０１６３】
実施の形態４におけるその他の説明は、実施の形態１，３と同じである。
【０１６４】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０１６５】
この発明は、他の無線装置から干渉を受けている場合に無線通信の可否を簡単に判定可能な無線装置に適用される。また、この発明は、他の無線装置から干渉を受けている場合に無線通信の可否を簡単に判定可能な無線装置を備えた無線通信ネットワークに適用される。
【符号の説明】
【０１６６】
１〜５，１Ａ，１Ｂ，１Ｃ  無線装置、１０  無線通信システム、１１  アンテナ、１２，１２Ａ  送受信手段、１３，１３Ａ  通信手段、１４，１４Ａ，１４Ｂ，１４Ｃ  判定手段、１５，１５Ａ，１５Ｂ，１５Ｃ  演算手段。
【図１】
0005545111.tif 000002
【図２】
0005545111.tif 000003
【図３】
0005545111.tif 000004
【図４】
0005545111.tif 000005
【図５】
0005545111.tif 000006
【図６】
0005545111.tif 000007
【図７】
0005545111.tif 000008
【図８】
0005545111.tif 000009
【図９】
0005545111.tif 000010
【図１０】
0005545111.tif 000011
【図１１】
0005545111.tif 000012
【図１２】
0005545111.tif 000013
【図１３】
0005545111.tif 000014
【図１４】
0005545111.tif 000015
【図１５】
0005545111.tif 000016
【図１６】
0005545111.tif 000017
【図１７】
0005545111.tif 000018
【図１８】
0005545111.tif 000019